(57)【要約】【課題】  ネットワーク接続可能な低価格の電子機器を利用して入院患者に各種サービスを提供できる院内ブラウジングシステムを構築する。【解決手段】  ネットワークに接続可能な電子機器を遠隔制御し、遠隔制御される電子機器からネットワーク上のサイトへのブラウジング及びサーバ装置が提供する各種サービスを表示装置に表示させ、ネットワーク上のサイトへのブラウジングに対する課金の状態を制御する。【選択図】      図１
2007019991.tif 000002
【特許請求の範囲】
【請求項１】
ネットワークに接続可能な電子機器から該ネットワーク上のサイトへのブラウジングと各種サービスを入院患者に提供するための院内ブラウジングシステムであって、
前記ネットワークに接続可能な電子機器を遠隔制御する遠隔制御手段と、
前記遠隔制御手段により遠隔制御される電子機器から前記ネットワーク上のサイトへのブラウジングと各種サービスを表示装置に表示させる表示制御手段と、
前記ネットワーク上のサイトへのブラウジングに対する課金の状態を制御する課金状態制御手段とを有することを特徴とする院内ブラウジングシステム。
【発明の詳細な説明】
【技術分野】
【０００１】
本発明は、ネットワークに接続可能な電子機器から該ネットワーク上のサイトへのブラウジングと各種サービスを入院患者に提供するための院内ブラウジングシステムに関するものである。
【背景技術】
【０００２】
近年、病院における各種医療サービスの一環として、入院患者に対する利便性と快適性の向上が不可欠な要件となっている。特に、入院患者が利用する床頭台にも各種の機能が付加され、各企業より様々な形式で提案がなされている。
【０００３】
また、床頭台には入院患者が自由時間に利用できる代表的な電子機器として、課金機能を持ったＴＶ受像機が載置されることが多い。
【０００４】
しかし、若い世代を中心として、ネット通信による情報検索や音楽のダウンロード等のように娯楽の範囲が広がってきている。このような背景の中で、院内システムにおいても、ネット機能などを利用したいという要望がある。
【０００５】
国内的には、ＴＶ受像機やＤＶＤ装置を利用する端末機として多く販売され、老若男女を問わず利用されているものにケーム機器があり、様々な機種が実用化されている。また、ゲーム機器は、多機能を有しながら、安価であることが特徴である。
【発明の開示】
【発明が解決しようとする課題】
【０００６】
しかしながら、このような状況にあっても、入院患者に対して利便性と低価格を実現し、ネット通信による情報検索やマルチメディアのダウンロードなどの各種サービスを提供できる院内ブラウジングシステムは存在しない。
【０００７】
本発明は、上記課題を解決するためになされたもので、ネットワーク接続可能な低価格の電子機器を利用して入院患者に各種サービスを提供できる院内ブラウジングシステムを構築することを目的とする。
【課題を解決するための手段】
【０００８】
本発明は、ネットワークに接続可能な電子機器から該ネットワーク上のサイトへのブラウジングと各種サービスを入院患者に提供するための院内ブラウジングシステムであって、前記ネットワークに接続可能な電子機器を遠隔制御する遠隔制御手段と、前記遠隔制御手段により遠隔制御される電子機器から前記ネットワーク上のサイトへのブラウジングと各種サービスを表示装置に表示させる表示制御手段と、前記ネットワーク上のサイトへのブラウジングに対する課金の状態を制御する課金状態制御手段とを有することを特徴とする。
【発明の効果】
【０００９】
本発明によれば、ネットワーク接続可能な低価格の電子機器を利用して入院患者に各種サービスを提供できる院内ブラウジングシステムを構築することができる。
【発明を実施するための最良の形態】
【００１０】
以下、図面を参照しながら発明を実施するための最良の形態について詳細に説明する。
【００１１】
［院内ブラウジングシステムの構成］
図１は、本実施形態における院内ブラウジングシステムの構成の一例を示す図である。図１において、１０１ａ〜１０１ｎは病室内の入院患者用ベットサイドに設置される床頭台システムであり、入院患者の利便性及び娯楽性を向上させるものである。尚、複数の床頭台システム１０１ａ〜１０１ｎの構成は全て同じであり、以下「床頭台システム１０１」として説明する。
【００１２】
１０２は院内ＬＡＮであり、病院内に設置されたＬＡＮシステムである。１０３は院内ＬＡＮ１０２に接続された院内のサーバ装置であり、床頭台システム１０１からアクセスされると、データベースに基づいて院内の患者向けサービス（メニュー）情報、売店情報、或いは外部業者によるサービス情報などを提供する。
【００１３】
１０４は院内ＬＡＮ１０２に接続された院内ルータであり、外部のインターネットなどのネットワーク１０５への接続を制御する。１０６は共聴アンテナ分配器であり、院内において一般的なＴＶ視聴のために各病室の床頭台システム１０１に対してアンテナ１０７から受信したＴＶ信号を分配する。
【００１４】
１０８は課金制御装置であり、床頭台システム１０１に接続され、入院患者が享受した有料のサービスに対する課金状態を管理制御するものである。尚、本実施形態では、入院患者が所定のカードを課金制御装置１０８のカードスロットに挿入した時点で、課金制御が開始されるものとする。また、課金制御装置１０８による課金状態の制御については、更に後述する。
【００１５】
［床頭台システムの構成］
次に、本実施形態における床頭台システム１０１について説明する。図１に示すように、床頭台システム１０１は、ＴＶ受像機１１１と、ゲーム機器１１２と、ＤＶＤ１１３と、リモコン制御中継器１１４と、リモコン１１５とから構成されている。
【００１６】
このＴＶ受像機１１１は一般的なもので良く、床頭台に載置される。そして、入院患者がリモコン１１５を操作することにより、院内データベース１０３に蓄積された患者向け院内サービス情報などがＴＶ受像機１１１の画面上に表示される。
【００１７】
また、ゲーム機器１１２は、ネットワークに対応し、ＤＶＤ１１３に記録された情報を再生可能なものであれば、市販のもので良い。尚、ＤＶＤ１１３は、ゲーム機器１１２と一体に構成されていても良く、また別に構成されていても良い。別に構成されている場合は、ＤＶＤ１１３をゲーム機器１１２と接続可能にする機能を付加するものとする。
【００１８】
また、リモコン制御中継器１１４は、ゲーム機器１１２で使用される専用信号を回避し、後述するブラウザを自動的に立ち上げ、院内ＬＡＮ１０２を介してサーバ装置１０３に接続するための制御機能を有し、ゲーム機器１１２を間接的に機能させるものである。
【００１９】
そして、リモコン１１５はサーバ装置１０３や院内ルータ１０４を介してネットワーク１０５に接続するために、リモコン制御中継器１１４に独自コードによるコマンド信号を送信する専用のリモコンである。
【００２０】
［ブラウジングの概念］
ここで、ゲーム機器１１２として市販のネットワーク対応のゲーム機器を利用して床頭台システム１０１から院内ＬＡＮ１０２を介してサーバ装置１０３に接続し、患者向けの各種サービスや、院内ルータ１０４を介してインターネットなどのネットワーク１０５にアクセスするためのブラウジングについて説明する。
【００２１】
図２は、本実施形態におけるブラウジングの概念を説明するための図である。図２に示すように、ゲーム機器１１２として市販のネットワーク対応のゲーム機器を利用するため、付属品のオリジナルリモコン２００からの送信信号を遮蔽板２０１で阻止する。
【００２２】
尚、図２において、図１と同じものには同一の符号を付している。また、リモコン制御部２３０と受光ユニット２４０は、図１に示すリモコン制御中継器１１４に相当するものである。
【００２３】
このリモコン制御部２３０は、付属品のオリジナルリモコン２００の持つ本来の機能と異なる機能を実行させるための独自のコード体系を持つものである。また、受光ユニット２４０はリモコン１１５から発光される赤外線を受光する機能の他にＬＥＤ表示器が前面に配置され、その表示器の点灯状態によって現在の課金状態を入院患者に通知する機能を有する。例えば、ＬＥＤ表示器が点灯状態で課金中を表し、ＬＥＤ消灯状態で非課金中を表すものとする。
【００２４】
また、リモコン制御部２３０は、現在の課金状態を受光ユニット２４０のＬＥＤ表示器に表示させると共に、課金制御装置１０８に対して非課金信号を送信するか否かによって課金制御装置１０８の課金の機能を制御するものである。具体的には、非課金信号を送信することで非課金状態に制御し、また非課金信号の送信を停止することで課金状態に制御する。
【００２５】
図２に示す構成において、入院患者がリモコン１１５を用いて床頭台システム１０１のＴＶ受像機１１１でブラウジングを行う場合、リモコン１１５から所定のコマンド信号が送信され、そのコマンド信号は受光ユニット２４０で受信され、リモコン制御部２３０で処理されてゲーム機器１１２が受信可能なコード体系に変換される。そして、変換されたコマンド信号はリモコン制御部２３０の発光部２２０から送信され、ゲーム機器１１２の受光部２１０で受信される。
【００２６】
一方、ゲーム機器１１２では、リモコン制御部２３０で変換されたコマンド信号を受信すると、そのコマンド信号に基づいてＤＶＤ１１３に格納されているアプリケーションを起動する。そして、そのアプリケーションが実行されると、ブラウジング機能を提供するブラウザがＴＶ受像機１１１の画面上に表示される。
【００２７】
この場合、ブラウジング機能を提供するためのアプリケーションは、専用のアプリケーションソフトを利用するか、或いは市販のアプリケーションソフトを利用しても良い。
【００２８】
次に、図３を用いて入院患者がブラウジングを行う際に使用するリモコン１１５の構成について説明する。
【００２９】
図３は、本実施形態におけるリモコン１１５の構成例を示す図である。図３において、３０１は電源ボタンであり、システム起動、終了ボタンとして機能する。３０２はＵＲＬボタンであり、ＵＲＬの打ち込みボタンとして機能し、課金時のみ有効である。３０３はＨＯＭＥボタンであり、院内ウェブ（デフォルトのホームページ）に戻るホームボタンとして機能し、このボタンが押下されると課金を停止する。３０４はブラウズボタンであり、ブラウジングを開始する際に押下され、同時に課金を開始する。
【００３０】
３０５は戻るボタン、３０６は進むボタンであり、ブラウザの戻る、進むボタンとして機能する。３０７は十字キーであり、上下ボタン、左右ボタンとして機能する。３０８は決定ボタンであり、処理又は動作を確定するボタンとして機能する。３０９は切換ボタンであり、フレームを切り換えるボタンとして機能する。尚、フレームの切り換えは順方向のみとする。そして、３１０は拡大ボタンであり、３段階に画面を拡大するボタンとして機能する。
【００３１】
［ブラウジング動作］
以上の構成において、入院患者がリモコン１１５を操作して実際にブラウジングを行う際の動作について説明する。以下、本システムの動作として、起動時、終了時、課金対象ページへの切り替え時、非課金ページへの切り替え時を例に説明する。
【００３２】
［起動時の動作］
図４は、本実施形態における床頭台システム１０１の起動時の動作シーケンスを示す図である。本来、アプリケーションを起動するためには、起動する度に細かな設定が必要となる。しかしながら、本システムでは、入院患者がＴＶ受像機１１１の入力を外部入力側に切り替えた状態でリモコン１１５の電源ボタン３０１を押下することにより、リモコン制御中継器１１４（受光ユニット２４０及びリモコン制御部２３０）がゲーム機器１１２に対して初期設定シーケンスを実行し、ＴＶ受像機１１１の画面上にブラウザを表示するように構成されている。
【００３３】
但し、ゲーム機器１１２が参照するメモリカードにネットワーク設定用のデータが予め保存されているものとする（このネットワーク設定用のデータは、設置時などの初回起動時に、人間が手動設定で作成しておけば良い）。
【００３４】
また、リモコン制御中継器１１４が映像・音声Ｌ／Ｒ出力をキャラクタ・ジェネレータ出力に切り替え、システム起動中（自動立ち上げ中）に、予め記録しておいた文字情報をＴＶ受像機１１１の画面上に出力させる。これにより、入院患者を飽きさせないと共に、システム運用者が入院患者に提示したい情報を表示することができる。
【００３５】
そして、リモコン制御中継器１１４が立ち上げシーケンスの最後のコマンド発行を終了すると、映像・音声Ｌ／Ｒ出力をゲーム機器１１２からの出力に切り替えることにより、ＴＶ受像機１１１の画面上にブラウザが表示される。また、課金制御装置１０８に対して非課金信号を送信し、受光ユニット２４０のＬＥＤを消灯し、非課金状態とする。
【００３６】
［終了時］
図５は、本実施形態における床頭台システム１０１の終了時の動作シーケンスを示す図である。図５に示すように、ブラウジング動作中に、リモコン１１５の電源ボタン３０１が押下されると、リモコン制御中継器１１４がゲーム機器１１２に所定のコマンドを発行し、電源をオフさせる。これにより、ＴＶ受像機１１１の画面はブラックアウトし、その後、入院患者が所望の動作を行う。
【００３７】
［課金対象ページへの切り替え時］
図６は、本実施形態における床頭台システム１０１の課金対象ページへの切り替え時の動作シーケンスを示す図である。図６に示すように、非課金対象ページ（例えば、立ち上げ時のデフォルトページ）がＴＶ受像機１１１の画面上に表示されている状態でリモコン１１５のブラウズボタン３０４が押下されると、リモコン制御中継器１１４が映像・音声Ｌ／Ｒ出力をキャラクタ・ジェネレータ出力に切り替える。これにより、予め記録しておいた文字情報（例えば、課金対象ページへ移動中）をＴＶ受像機１１１の画面上に表示させる。
【００３８】
そして、リモコン制御中継器１１４が切り替えシーケンスの開始コマンド（ゲーム機器１１２のメニューボタンコードに相当）を発行し、ブラウザのホームページを選択させるコマンドを発行する。一方、ゲーム機器１１２では、受信したこれらのコマンドに従って操作を実行する。
【００３９】
その後、リモコン制御中継器１１４が切り替えシーケンスの最後コマンドの発行を終了すると、映像・音声Ｌ／Ｒ出力をゲーム機器１１２からの出力に切り替えることにより、ＴＶ受像機１１１の画面上にデフォルトの課金対象ページ（ブラウザのホームページ）が表示される。また、課金制御装置１０８に対して非課金信号を送信するのを停止し、受光ユニット２４０のＬＥＤを点灯して課金状態とする。そして、入院患者がリモコン１１５を操作して一般のウェブサイトのブラウジング動作を行える状態へと遷移する。
【００４０】
［非課金対象ページへの切り替え時］
図７は、本実施形態における床頭台システム１０１の非課金対象ページへの切り替え時の動作シーケンスを示す図である。図７に示すように、課金対象ページがＴＶ受像機１１１の画面上に表示されている状態でリモコン１１５のＨＯＭＥボタン３０３が押下されると、リモコン制御中継器１１４が映像・音声Ｌ／Ｒ出力をキャラクタ・ジェネレータ出力に切り替える。これにより、予め記録しておいた文字情報（例えば、非課金対象ページへ移動中）をＴＶ受像機１１１の画面上に表示させる。
【００４１】
そして、リモコン制御中継器１１４が切り替えシーケンスの開始コマンド（ゲーム機器１１２のメニューボタンコードに相当）を発行し、ＨＯＭＥ位置へカーソルを移動させるコマンドを発行する。一方、ゲーム機器１１２では、受信したこれらのコマンドに従って操作を実行する。
【００４２】
その後、リモコン制御中継器１１４が切り替えシーケンスの最後コマンドの発行を終了すると、映像・音声Ｌ／Ｒ出力をゲーム機器１１２からの出力に切り替えることにより、ＴＶ受像機１１１の画面上にデフォルトの非課金対象ページが表示される。また、課金制御装置１０８に対して非課金信号を送信し、受光ユニット２４０のＬＥＤを消灯して非課金状態とする。そして、入院患者がリモコン１１５を操作して患者向けサービスページのブラウジング動作を行える状態へと遷移する。
【００４３】
［ゲーム機器の応用例］
図８は、床頭台システム１０１のゲーム機器１１２としてＰＳ２（登録商標）を利用した場合の接続例を示す図である。
【００４４】
図９は、床頭台システム１０１のゲーム機器１１２としてゲームキューブ（登録商標）を利用した場合の接続例を示す図である。
【００４５】
図１０は、床頭台システム１０１のゲーム機器１１２としてＸ−ＢＯＸ（登録商標）を利用した場合の接続例を示す図である。
【００４６】
尚、本実施形態では、床頭台システム１０１のゲーム機器１１２として、図８〜図１０に示される市販のネットワーク接続可能なゲーム機を利用して院内ブラウジングシステムを構築する場合について説明したが、本発明はこれだけに限らず、床頭台システム１０１を低価格なパーソナルコンピュータ、ＤＶＤドライブ、リモコン付属のテレビチューナーユニット、モニターなどで構成することも可能である。
【００４７】
以上説明したように、本実施形態によれば、市販のネットワーク接続可能なゲーム機器を病室内のベットサイドに設置される床頭台のＴＶ受像機と接続し、ゲーム機器を専用に制御するリモコン制御中継器と共に床頭台システムを構成し、ゲーム機器を介して院内のネットワークやインターネットなどの外部ネットワークにアクセス可能とすることにより、入院患者に各種サービスを提供することができる。
【図面の簡単な説明】
【００４８】
【図１】本実施形態における院内ブラウジングシステムの構成の一例を示す図である。
【図２】本実施形態におけるブラウジングの概念を説明するための図である。
【図３】本実施形態におけるリモコン１１５の構成例を示す図である。
【図４】本実施形態における床頭台システム１０１の起動時の動作シーケンスを示す図である。
【図５】本実施形態における床頭台システム１０１の終了時の動作シーケンスを示す図である。
【図６】本実施形態における床頭台システム１０１の課金対象ページへの切り替え時の動作シーケンスを示す図である。
【図７】本実施形態における床頭台システム１０１の非課金対象ページへの切り替え時の動作シーケンスを示す図である。
【図８】床頭台システム１０１のゲーム機器１１２としてＰＳ２（登録商標）を利用した場合の接続例を示す図である。
【図９】床頭台システム１０１のゲーム機器１１２としてゲームキューブ（登録商標）を利用した場合の接続例を示す図である。
【図１０】床頭台システム１０１のゲーム機器１１２としてＸ−ＢＯＸ（登録商標）を利用した場合の接続例を示す図である。
【図１】
2007019991.tif 000003
【図２】
2007019991.tif 000004
【図３】
2007019991.tif 000005
【図４】
2007019991.tif 000006
【図５】
2007019991.tif 000007
【図６】
2007019991.tif 000008
【図７】
2007019991.tif 000009
【図８】
2007019991.tif 000010
【図９】
2007019991.tif 000011
【図１０】
2007019991.tif 000012